(57)【特許請求の範囲】
【請求項１】
前面開放の庫内にスライド棚を支持し、該スライド棚は、庫内両側背面部にある支柱に係合されたブラケットと、該ブラケットにより両側部が支持され商品が載置される棚アッセンブリと、該棚アッセンブリと前記ブラケットの間にあり、前記棚アッセンブリを前後方向に引き出し自在にするスライドレールとを備えてなるショーケースにおいて、
前記ブラケットの側部の前面部に、前端に操作部を有する弾性係合部材を設けるとともに、前記棚アッセンブリの側部に、該弾性係合部材に係合して棚アッセンブリを後退位置に保持するフック部材を設け、前記弾性係合部材は、前記操作部を操作して弾性変形させることによりフック部材との係合状態を解除可能に形成され、棚アッセンブリを前進位置から後退位置に押し込む際には、フック部材との当接により弾性係合部材が弾性変形してフック部材と係合するように形成されていることを特徴とするショーケースのスライド棚。
【請求項２】
前面弾性係合部材は、前記ブラケットの内側面に設けられていることを特徴とする請求項１記載のショーケースのスライド棚。
【請求項３】
前記フック部材は、棚アッセンブリの外側面に設けられていることを特徴とする請求項１記載のショーケースのスライド棚。
【発明の詳細な説明】
【０００１】
【発明の属する技術分野】
本発明は、ショーケースのスライド棚に係り、特に、栄養ドリンク等の保冷・陳列に使用される冷蔵ショーケースのスライド棚に関する。
【０００２】
【従来の技術】
薬局等の栄養ドリンクや清涼飲料等の保冷・陳列には、図６に示すような冷蔵ショーケース３１がよく用いられている。
この種の冷蔵ショーケース３１においては、栄養ドリンクＮ等を手前側に引き出すことができるスライド棚３２が備えられている場合が多い。
このスライド棚として、従来、例えば特開平８−６６２７８号公報や特開平５−３２９０３９号公報、特開平５−３１７１４２号公報等のものが開示されている。
【０００３】
特開平８−６６２７８号公報のスライド棚５１は、図７に示すように、ショーケースの庫内両面の背面に設けられた支柱５２の係合孔に、その後端の爪を係合させて支持されたブラケット５３と、該ブラケット５３の内側にあり、陳列品を載置する棚板５４を含む棚アッセンブリと、該棚板５４を含む棚アッセンブリと前記ブラケット５３の間にあり、固定側部材５５ａと可動側部材５５ｂとからなるスライドレール５５とを備えている。そして、棚板５４の両側部には立ち上がり部５４ａが形成され、この立ち上がり部５４ａ外側に取付部材５６が固定され、この取付部材５６の下方（棚板５４の下面より下方）の位置にネジ孔５７が設けられ、前記スライドレール５５の可動側部材５５ｂが棚板５４の立ち上がり部５４ａの外側（取付部材５６の外側）に沿うように配置されて、前記ネジ孔５７にネジ止めされている。一方、スライドレール５５の固定側部材５５ａは、その外側に配置されたブラケット５３の内側にネジ止めされている。
そして、棚板５４を含む棚アッセンブリ（棚板＋取付部材等）は、スライドレール５５の可動側部材５５ｂに固定されて、スライドレール５５の可動部材５５ｂの固定側部材５５ａへの摺動によって、手前側に引き出されるように構成されている。
【０００４】
一方、特開平５−３２９０３９号公報のスライド棚６１は、スライドレール６２が、棚板６３の下面に位置するようになっていて、構成部材は上記特開平８−６６２７８号公報と略同様である。即ち、図８に示すように、スライド棚６１は、支柱５２に支持されたブラケット５３と、該ブラケット５３の内側にあり、陳列品を載置する棚板６３を含む棚アッセンブリと、該棚板６３の下面にあり、固定側部材６２ａと可動側部材６２ｂとからなるスライドレール６２とを備えている。そして、棚板６３の下面に逆Ｌ字状の取付部材６４を下方に向けて垂し、その中途部にネジ孔６５を設け、前記スライドレール６２の可動側部材６２ｂがネジ止めされている。
また、スライドレール６２の固定側部材６２ａは、ブラケット５３の頂部５３ａにネジ止めされ、棚板６３とブラケット５３の間に垂下された、上下方向に長い取付部材６６の中途部の内側にネジ止めされている。なお、６７は連結板である。
【０００５】
【発明が解決しようとする課題】
ところで、従来のこれらのスライド棚においては、スライド棚を後退位置に保持しておくためのストッパ装置が棚の裏面に設けられていることが多いため、下段の棚上に商品が並んでいる場合は、棚下のスペースがほとんどなくなり、手を挿入してストッパ装置の係合状態を解除することが容易ではなかった。
また、簡単な止着機構を使用すれば、スライド棚の引き出しは容易に行えるが、棚に衝撃を受けると止着機構が外れてスライド棚が前方に移動してしまうことがあった。さらに、マグネット等を使用することもできるが、磁力の選定やコストの面での配慮が必要になる。
【０００６】
本発明は、上記の問題点に鑑み創案されたもので、後退位置でのスライド棚の保持を確実に行うことができ、操作性が良好で、陳列面積や商品陳列量に悪影響を与えることもないストッパ装置を備えた冷蔵ショーケースのスライド棚を提供することを目的とする。
【０００７】
【課題を解決するための手段】
上記課題を解決するため、本発明においては、前面開放の庫内にスライド棚を支持し、該スライド棚は、庫内両側背面部にある支柱に係合されたブラケットと、該ブラケットにより両側部が支持され商品が載置される棚アッセンブリと、該棚アッセンブリと前記ブラケットの間にあり、前記棚アッセンブリを前後方向に引き出し自在にするスライドレールとを備えてなるショーケースにおいて、前記ブラケットの側部の前面部に、前端に操作部を有する弾性係合部材を設けるとともに、前記棚アッセンブリの側部に、該弾性係合部材に係合して棚アッセンブリを後退位置に保持するフック部材を設け、前記弾性係合部材は、前記操作部を操作して弾性変形させることによりフック部材との係合状態を解除可能に形成され、棚アッセンブリを前進位置から後退位置に押し込む際には、フック部材との当接により弾性係合部材が弾性変形してフック部材と係合するように形成されていることを特徴としている。
また、本発明は、前面弾性係合部材が、前記ブラケットの内側面に設けられており、前記フック部材が、棚アッセンブリの外側面に設けられていることを特徴としている。
【０００８】
上述のようにブラケットの前面部に弾性係合部材を設けることにより、フック部材との係合位置をスライドレールの前方に配置することが可能となるので、陳列商品の邪魔になることがなくなり、係合状態を解除して棚アッセンブリを引き出す操作も容易になる。しかも、棚アッセンブリの後退位置での保持を確実に行えるとともに、棚アッセンブリを押し込んだ際の係合も自動的に行うことができる。
【０００９】
【発明の実施の形態】
以下、本発明の好ましい実施の形態を図面に基づき詳細に説明する。
図１は本発明が適用された冷蔵ショーケースの全体を示す断面側面図、図２は本発明の冷蔵ショーケースのスライド棚の分解斜視図、図３は本発明の冷蔵ショーケースのスライド棚の正面側から見た断面図、図４は本発明の冷蔵ショーケースのスライド棚の断面側面図、図５は本発明の冷蔵ショーケースのスライド棚の断面平面図である。
【００１０】
この種の冷蔵ショーケース１は、図１に示すように、前面に開放部３を持つ貯蔵室４に、複数のスライド棚２，２…を有するように形成される。そして、冷蔵ショーケース１の冷気のエアフローは、天部の吹出口５から下方に向けて吹き出され、スライド棚２，２…に載置された栄養ドリンクＮ等の商品を冷却して、前面パネル７後側の吸込み口８より、内装パネル９と断熱箱体１０の間に形成された床下ダクト１１ａを通り、図示しないファンによって吸引され、冷却器（図示せず）と熱交換されて冷却され、背面ダクト１１ｂを通り天部の吹出口５から吹き出されて循環する。
【００１１】
前記スライド棚２は、図２乃至図５に示すように、庫内間口（横）方向の両側背面部にある支柱１２の係合孔１２ａに係合される爪１３ａを有するブラケット１３と、このブラケット１３に支持され栄養ドリンクＮ等の載置される棚板１４を含む棚アッセンブリ１５と、棚板１４とブラケット１３との間にあり、棚アッセンブリ１５を前後方向に引き出し自在にするスライドレール１６と、棚アッセンブリ１５を後退位置に保持するための弾性係合部材１７及びフック部材１８からなるストッパ装置とを備えている。
【００１２】
前記棚アッセンブリ１５の両端は、ブラケット１３を跨いで、間口（横）方向両端に延設されており、棚アッセンブリ１５の両端部に設けられている棚固定板１９の内側面とブラケット１３の外側面との間に前記スライドレール１６が設けられている。このスライドレール１６は、ブラケット１３の外側面に固定されたスライドレール１６の固定側部材１６ａと、棚アッセンブリ１５の両端部に設けられている棚固定板１９の内側面に固定された可動側部材１６ｂとから成っている。
【００１３】
このように、ブラケット１３の外側面にスライドレール１６の固定側部材１６ａを設け、棚アッセンブリ１５の棚固定板１９の内側面にスライドレール１６の可動側部材１６ｂを設けることにより、スライドレール１６を間口方向の両端まで寄せることができ、棚板１４の有効陳列長さを最大限活用でき、陳列面積を大きく取ることができる。
【００１４】
さらに、棚固定板１９の外側には、スライドレール１６の可動側部材１６ｂと棚固定板１９とを固定するネジの先端を目隠しするための化粧板２０が嵌着されており、この化粧版２０と棚固定板１９との間に前記フック部材１８が取り付けられている。フック部材１８は、棚固定板１９の外面にねじ止めされる取付板部１８ａと、棚固定板１９の前端で内側に屈曲した係合片１８ｂとにより形成されている。また、棚板１４の裏面には、断面略縁付皿状の棚補強レール２１が設けられており、棚板１４の前端には、転び止め２２と化粧レール２３とが設けられている。
【００１５】
一方、ブラケット１３の後方側上縁１３ｂには、断面略縁付皿状のブラケット連結板２４が、前記棚補強レール２１と間口（横）方向に平行でかつ同一高さに位置するように設けられており、その前面には、棚板押し込み時の衝撃を吸収するクッションゴム２５が取り付けられている。
さらに、ブラケット１３の前方側上縁１３ｃには、前記弾性係合部材１７が取り付けられている。この弾性係合部材１７は、ブラケット１３にねじ止めされる断面逆Ｌ字状の取付部１７ａと、所定の弾性を得るための弾性板部１７ｂと、外側に屈曲して前記フック部材１８の係合片１８ｂに係合する係合部１７ｃと、前端の操作部１７ｄとを有しており、操作部１７ｄと係合部１７ｃとの間は、後方が外側に広がった斜面部１７ｅとなっている。
【００１６】
このように形成した弾性係合部材１７とフック部材１８とは、図５に示すように、棚アッセンブリ１５をショーケース後方の所定位置に押し込んだ後退位置において、弾性係合部材１７の係合部１７ｃの後面とフック部材１８の係合片１８ｂの前面とが係合した状態になり、棚アッセンブリ１５を後退位置に保持する。
【００１７】
棚アッセンブリ１５を手前に引き出す際には、弾性係合部材１７の操作部１７ｄを内側（中央）方向に押して弾性板部１７ｂを弾性変形させることにより、係合片１８ｂとの係合状態を容易に解除することができる。このとき、弾性係合部材１７及びフック部材１８からなる保持手段を棚アッセンブリ１５の両側に設けておくことにより、衝撃により片側の係合状態が解除されても棚アッセンブリ１５が前方に移動することを防止できる。
【００１８】
そして、棚アッセンブリ１５を引き出し位置から後方に押し込む際には、フック部材１８の係合片１８ｂが弾性係合部材１７の斜面部１７ｅに当接して弾性係合部材１７を内側に弾性変形させるので、棚アッセンブリ１５を所定位置に押し込むと係合部１７ｃが元の位置に復帰して係合部１７ｃと係合片１８ｂとが自動的に係合する。
【００１９】
また、弾性係合部材１７の操作部１７ｄが棚両側のブラケット１３の前方、すなわち、スライドレール１６の前面部に位置した状態になっているので、陳列商品の邪魔にならず、操作部１７ｄの操作も容易であり、棚板裏面にストッパ装置を設けたものに比べ、棚間隔を狭くして棚枚数を増やすことができるので、商品陳列量を大幅に増加することができる。
【００２０】
【発明の効果】
以上説明したように、本発明の冷蔵ショーケースのスライド棚は、ブラケットと棚側面との間でスライドレールの側部の前面部にストッパ装置が設けられているので、陳列商品の邪魔にならず、操作性も向上するとともに、棚間隔を狭くして棚枚数を増やすことが可能となる。
【図面の簡単な説明】
【図１】本発明の適用された冷蔵ショーケースの全体を示す断面側面図である。
【図２】本発明の冷蔵ショーケースのスライド棚の分解斜視図である。
【図３】本発明の冷蔵ショーケースのスライド棚の正面側から見た断面図である。
【図４】本発明の冷蔵ショーケースのスライド棚の断面側面図である。
【図５】本発明の冷蔵ショーケースのスライド棚の断面平面図である。
【図６】従来の冷蔵ショーケースの全体を示す断面側面図である。
【図７】従来の特開平８−６６２７８号公報のスライド棚の断面正面図である。
【図８】従来の特開平５−３２９０３９号公報のスライド棚の断面正面図である。
【符号の説明】
１  冷蔵ショーケース
２  スライド棚
３  開放部
４  貯蔵室
５  吹出口
７  前面パネル
８  吸込口
９  内装パネル
１０  断熱箱体
１１ａ  床下ダクト
１１ｂ  背面ダクト
１１ｃ    天井ダクト
１２  支柱
１３  ブラケット
１３ａ    爪
１３ｂ  後方側上縁
１３ｃ  前方側上縁
１４  棚板
１５  棚アッセンブリ
１６  スライドレール
１６ａ  固定側部材
１６ｂ  可動側部材
１７  弾性係合部材
１７ａ  取付部
１７ｂ  弾性板部
１７ｃ  係合部
１７ｄ  操作部
１７ｅ  斜面部
１８  フック部材
１８ａ  取付板部
１８ｂ  係合片
１９  棚固定板
２０  化粧板
２１  棚補強レール
２２  転び止め
２３  化粧レール
２４  ブラケット連結板
２５  クッションゴム
Ｎ    栄養ドリンク
【図１】
0003601022.tif 000002
【図２】
0003601022.tif 000003
【図３】
0003601022.tif 000004
【図４】
0003601022.tif 000005
【図５】
0003601022.tif 000006
【図６】
0003601022.tif 000007
【図７】
0003601022.tif 000008
【図８】
0003601022.tif 000009